(57)【特許請求の範囲】
【請求項１】
筐体ドアから取り外し可能な下パネル枠を備えた遊技機であって、
前記下パネル枠が、前記筐体ドアのツメ通過孔に挿入されるツメ部を有し、
前記筐体ドアが、
前記ツメ通過孔の一方の開口部に挿入されて他方の開口部から露出した前記ツメ部の先端部の全体と、前記他方の開口部の外周縁の全体とを覆う可動式ツメカバーを有し、
前記ツメ部が、鉤状に形成されて前記ツメ通過孔の他方の開口部の外周縁に係止する係止部を有し、
前記可動式ツメカバーが、前記他方の開口部の外周縁から前記係止部が外れる方向に当該係止部を押すツメ押下部と、前記係止部の外れる方向に前記ツメ押下部が動くように弾性を与える弾性部材とを有した
ことを特徴とする遊技機。
【請求項２】
遊技機の筐体ドアに穿設されたツメ通過孔の一方の開口部に挿入されて他方の開口部から露出した下パネル枠のツメ部の先端部の全体と、前記他方の開口部の外周縁の全体とを覆うカバー部材を備え、
前記ツメ部が、鉤状に形成されて前記ツメ通過孔の他方の開口部の外周縁に係止する係止部を有し、
前記カバー部材が、前記他方の開口部の外周縁から前記係止部が外れる方向に当該係止部を押すツメ押下部と、前記係止部の外れる方向に前記ツメ押下部が動くように弾性を与える弾性部材とを有した
ことを特徴とする可動式ツメカバー。
【発明の詳細な説明】
【技術分野】
【０００１】
本発明は、下パネルを取り付けるための下パネル枠を備えた遊技機、及び、この遊技機に用いられる可動式ツメカバーに関し、特に、下パネル枠のツメ部が挿入される筐体ドアのツメ通過孔に不正工具を侵入させて筐体内で不正を行うといった悪質な行為を確実に防止するとともに、下パネル等の分解・組立時における部品数の増加を抑えるのに好適な遊技機及び可動式ツメカバーに関する。
【背景技術】
【０００２】
装飾や演出目的で筐体ドアの下部に印刷パネルを設置した遊技機は、そのパネルや内部照明器具の交換ができるように、パネル装着用の下パネル枠が取り外し可能となっている。
下パネル枠は、工具無しでも簡単に取り外しできるように、先端が鉤状の突設部（ツメ部）を有しており、筐体ドアのツメ通過孔に係止可能になっている。
【０００３】
ところで、遊技機は、不正に遊技媒体であるメダル等を獲得しようとする不正行為者の標的となり易く、遊技機の不正防止対策が重要な課題となっている。
例えば、下パネル枠を外部から除去し、ツメ通過孔から不正工具を侵入させて、筐体を不正動作させる行為が発生している。
そこで、下パネル枠の取り外しを簡単には行えないようにして不正行為を防止する技術が提案されている。
【０００４】
例えば、ツメ通過孔に挿入されたツメ部の下面とツメ通過孔の内壁下面との間の隙間に、ツメ部が挿入された方向とは逆の方向から挿入する挿入部を先端側に有した抜止ロック部材を取り付ける技術がある（例えば、特許文献１参照。）。
これによれば、ツメ部の上面に形成された鉤部がツメ通過孔の縁部に係止した状態で抜止ロック部材の挿入部が前述の隙間に挿入されることで、ツメ部の係止を解除する側にツメ部が湾曲するのを抑制できる。しかも、抜止ロック部材は、筐体ドアの裏側から取り付けられる。このことから、筐体ドアを施錠した状態では抜止ロック部材を外すことができず、このため、下パネル枠を外すこともできなくなり、ツメ通過孔に不正工具を挿入するという不正行為を防止できる。
【特許文献１】特開２００７−２０２８５６号公報
【発明の開示】
【発明が解決しようとする課題】
【０００５】
しかしながら、上述した特許文献１に記載の技術においては、次のような問題点があった。
例えば、抜止ロック部材の挿入部がツメ通過孔に挿入された状態であっても、その抜止ロック部材の上方は開放状態となっているため、針金状又は薄板状の不正工具が、ツメ部とツメ通過孔との隙間を通り、抜止ロック部材の上方開放部を通って筐体内に侵入してしまう。これにより、筐体内で不正行為が行われてしまうという問題があった。
【０００６】
また、下パネルを交換する際には、下パネル枠の取り外し作業や取り付け作業の他に、抜止ロック部材を引き抜く作業や、挿入部を挿入する作業も必要となることから、作業工数が増えて手間がかかるという問題があった。
さらに、ツメ部がツメ通過孔に係止されれば下パネル枠自体は取り付けが完了することから、抜止ロック部材の挿入を忘れてしまうことがあった。そうすると、不正行為を阻止することができず、ホール側が損害を被ってしまうという問題があった。
【０００７】
しかも、抜止ロック部材は、ツメ通過孔に着脱する構造となっているため、分解・組立時の部品数が多くなるという問題があった。
加えて、抜止ロック部材をツメ通過孔から抜き取ったときにどこかへ適当に置いてしまうと、紛失する可能性があった。しかも、抜止ロック部材を紛失したために新たに取り寄せようとすると、この取り寄せに時間がかかり、この間不正行為を阻止することができなくなるという問題があった。さらに、この対応策として予備品を用意しておくことも考えられるが、この予備品を管理しなければならなくなり、保守管理が煩雑になるという問題があった。
【０００８】
本発明は、上記の問題を解決すべくなされたものであり、不正工具が筐体内に侵入するのを完全に阻止するとともに、下パネル枠の分解・組立の際に作業工数や部品数が増えるのを抑え、かつ、保守管理の煩雑さを解消し得る遊技機及び可動式ツメカバーの提供を目的とする。
【課題を解決するための手段】
【０００９】
この目的を達成するため、本発明の遊技機は、筐体ドアから取り外し可能な下パネル枠を備えた遊技機であって、下パネル枠が、筐体ドアのツメ通過孔に挿入されるツメ部を有し、筐体ドアが、ツメ通過孔の一方の開口部に挿入されて他方の開口部から露出したツメ部の先端部の全体と、他方の開口部の外周縁の全体とを覆う可動式ツメカバーを有した構成としてある。
【００１０】
遊技機をこのような構成とすると、ツメ通過孔に挿入されたツメ部の先端露出部全体と、ツメ通過孔の他方の開口部外周縁の全体が、可動式ツメカバーにより覆われるため、仮にツメ部とツメ通過孔との隙間から不正工具が侵入してきたとしても、必ず可動式ツメカバーに突き当たり、これ以上先への侵入ができなくなる。これにより、その不正工具を用いた不正行為を完全に防止できる。
【００１１】
また、本発明の遊技機は、可動式ツメカバーを、筐体ドアに固定した構成とすることができる。
遊技機をこのような構成とすれば、可動式ツメカバーが筐体ドアに固定されているため、下パネル枠の分解・組立の際に、可動式ツメカバーの取り付けや取り外しを行う必要がない。このため、作業工数や部品数の増加を抑えることができる。
また、可動式ツメカバーが筐体ドアに固定されていることで、この可動式ツメカバーの付け忘れを回避できる。しかも、可動式ツメカバーは、常時固定されているため、不正行為がいつ起こっても完全に阻止できる。
しかも、下パネル枠の分解・組立の際に可動式ツメカバーが取り外されることがないため、その可動式ツメカバーの予備品を管理する必要がない。これにより、保守管理の煩雑さを解消できる。
【００１２】
また、本発明の遊技機は、ツメ部が、鉤状に形成されてツメ通過孔の他方の開口部の外周縁に係止する係止部を有し、可動式ツメカバーが、他方の開口部の外周縁から係止部が外れる方向に当該係止部を押すツメ押下部と、係止部の外れる方向にツメ押下部が動くように弾性を与える弾性部材とを有した構成とすることができる。
【００１３】
遊技機をこのような構成とすると、ツメ押下部を介してツメ部の係止部を押すことにより、係止が解除されて、下パネル枠を取り外すことができる。
しかも、可動式ツメカバーは、弾性部材を有しているため、筐体ドアに固定された状態でツメ押下部を動かすことができ、下パネル枠を取り外すことができる。これにより、分解・組立時の部品数の増加を抑えることができる。
【００１４】
また、本発明の遊技機は、弾性部材を、板バネを含む構成とすることができる。
遊技機をこのような構成とすれば、板バネの弾性によってカバー部材を動かすことができる。しかも、板バネは、形状が簡易であることから、形成が容易である。さらに、材料によっては、固定部材やカバー部材と弾性部材との一体形成が可能である。
【００１５】
また、本発明の可動式ツメカバーは、遊技機の筐体ドアに穿設されたツメ通過孔の一方の開口部に挿入されて他方の開口部から露出した下パネル枠のツメ部の先端部の全体と、前記他方の開口部の外周縁の全体とを覆うカバー部材を備えた構成とすることができる。
可動式ツメカバーをこのような構成とすれば、可動式ツメカバーのカバー部材が下パネル枠のツメ部先端部や筐体ドアのツメ通過孔の他方開口部外周縁を覆う構造になっているため、このツメ通過孔に不正工具が挿入されてもカバー部材に必ず突き当たってしまう。
また、ツメ通過孔を通過できたとしても、筐体内部まで到達できないことから、内部での不正工作が非常に困難となる。
このことから、不正工具のさらなる侵入を阻止して、この工具による不正行為の発生を完全に防止できる。
【発明の効果】
【００１６】
以上のように、本発明によれば、ツメ通過孔に挿入されて露出したツメ部の先端部の全体と、ツメ通過孔の他方の開口部外周縁の全体が、可動式ツメカバーのカバー部材により覆われるため、筐体内部への不正工具の侵入を完全に阻止することができる。このため、その不正工具を用いた不正行為を完全に防止できる。
また、可動式ツメカバーが筐体ドアに固定した状態となっているため、下パネル枠を取り外したときにも、部品数が増えることがない。
【発明を実施するための最良の形態】
【００１７】
以下、本発明に係る遊技機及び可動式ツメカバーの好ましい実施形態について、図面を参照して説明する。
【００１８】
［遊技機］
まず、本発明の遊技機の実施形態について、図１、図２を参照して説明する。
本実施形態では、可動式ツメカバーを備えた遊技機として、スロットマシンを適用している。
図１は、スロットマシンの概観を示す図であって、（ｉ）は、正面図、（ii）は、側面図である。図２は、筐体ドアの裏面構成を示す詳細図である。
本実施形態のスロットマシンは、従来のスロットマシンと同様にスロットマシンに備えられた複数のリールを回転させることによって遊技媒体を獲得することができる回胴式遊技機を構成している。
【００１９】
スロットマシン１は、内部にマイクロコンピュータ等で構成された主基板及び必要な機械、装置等を収納する正面側に開口した支持体２と、この支持体２の正面側を開閉可能に覆う筐体ドア３とで構成されている。
筐体ドア３は、支持体２にヒンジ等を介して開閉自在に取り付けられる扉で、この筐体ドア３に各種パネルやその他各部が備えられて正面部を構成している。
【００２０】
筐体ドア３の前面側は、図１（ｉ）に示すように、上パネル部３１と下パネル部３２とに略区分けすることができる。
そして、図２に示すように、筐体ドア３の下パネル部３２の裏面における所定の位置に、本実施形態に係る可動式ツメカバー４０が備えられる。
なお、スロットマシンを構成する各部・各所の機械、装置等やそれらの制御は、公知のものであり、ここではそれらの説明は省略し、以下、発明の特徴的な構成について詳細に説明する。
【００２１】
［下パネル部］
下パネル部について、図３を参照して説明する。
同図に示すように、下パネル部３２は、下パネル３３と、筐体ドア下部３４と、下パネル枠３５とを有している。
下パネル３３は、ゲーム内容やスロットマシンのモデルタイプなどを遊技者に認識させるために登場キャラクタなどが描かれた板状部材である。
筐体ドア下部３４は、筐体ドア３の略下半分を構成する部材である。この筐体ドア下部３４は、正面から筐体内部に向かって凹状に形成された凹部３６を有しており、この凹部３６内に下パネル照明部品３７が取り付けられている。この下パネル照明部品３７には、例えば蛍光灯を用いることができ、点灯することで、下パネル３３に描かれたキャラクタ等をバック（背後）から明るく照らし出すことができる。
【００２２】
また、筐体ドア下部３４には、下パネル枠３５のツメ部３５２（後述）が挿入されるツメ通過孔３８１を有したドア側凸部３８が形成されている（図５参照）。
ドア側凸部３８は、径方向断面がほぼ方形の筒状に形成されており、中空軸が水平方向となるように筐体ドア下部３４の裏側に立設されている。このドア側凸部３８において、ツメ部３５２が挿入される側（筐体ドア下部３４の前面側）の開口部を第一の開口部（一方の開口部）３８２、挿入されたツメ部３５２の先端が露出する側（筐体ドア下部３４の裏面側、可動式ツメカバー４０によりカバーされる側）の開口部を第二の開口部（他方の開口部）３８３というものとする。
さらに、筐体ドア下部３４には、下パネル枠３５の引っ掛け部材３５７（後述）が挿入されて係止する引っ掛け部材通過孔３４１が形成されている（図６参照）。
【００２３】
下パネル枠３５は、下パネル３３を筐体ドア下部３４に取り付けるための抑え枠である。
この下パネル枠３５の上辺部材３５１には、ツメ部３５２が突設形成されている。
ツメ部３５２は、全体に鉤状に形成されており、上辺部材３５１から水平方向（下パネル枠３５の取り付け方向）に向かって突設した板部材３５３と、この板部材３５３の一つの面（本実施形態においては、上面）の一部が段差をなして形成された係止部３５４とを有している。
また、係止部３５４の段差上端部からツメ部３５２の先端にかけては、傾斜面３５５が形成されている。
なお、本実施形態において、ツメ部３５２は、２つ設けられており、上辺部材３５１の両端からそれぞれ所定の位置に形成されている。ただし、ツメ部３５２は、２つに限るものではなく、３つ以上であってもよい。
【００２４】
下パネル枠３５の下辺部材３５６には、引っ掛け部材３５７が形成されている。
引っ掛け部材３５７は、ツメ部３５２と同様、全体に鉤状に形成されており、下辺部材３５６の奥側端部から下パネル枠３５の取り付け方向に向かって突設形成されている。
これら上辺部材３５１のツメ部３５２と、下辺部材３５６の引っ掛け部材３５７が、それぞれ筐体ドア下部３４の所定の位置に係止することで、下パネル３３及び下パネル枠３５が取り付けられる。
【００２５】
なお、引っ掛け部材３５７は、弾性力が小さいことから、ツメ部３５２のように指などで押して湾曲させながら外すことは不可能となっている。つまり、下パネル枠３５を外すときには、上辺部材３５１のツメ部３５２を外した後でなければ、引っ掛け部材３５７を外すことはできない。このように、引っ掛け部材３５７は、取り外すために人が力を加える部分ではないため、可動式ではなく固定式のカバーにて保護可能である。
【００２６】
［可動式ツメカバー］
（構造）
次に、可動式ツメカバーの構造について、図４を参照して説明する。
同図に示すように、可動式ツメカバー４０は、固定部材４１と、弾性部材４２と、カバー部材４３とを有している。
【００２７】
固定部材４１は、平板で形成されており、中央には貫通した孔４１１が穿設されている。この孔４１１にネジ５０を通し、さらに、このネジ５０を筐体ドア下部３４の肉厚部３４２（後述）に切られた下穴に螺入することで、可動式ツメカバー４０が、筐体ドア下部３４の裏面に固定される。
【００２８】
弾性部材４２は、例えば、図４に示すように、板バネを用いることができる。
この板バネは、側面形状が“⊂”の記号のように横Ｕ字状に形成されている。すなわち、上板部材４２１と下板部材４２２が湾曲部材４２３で連結されて横Ｕ字状をなしている。また、上板部材４２１の一辺（湾曲部材４２３が連結された辺に対向する辺）が、横Ｕ字状に対して外側（上方）へ湾曲し、カバー部材４３の底面部材４３６の前面部材４３７側端辺に接続している。さらに、下板部材４２２の一辺（湾曲部材４２３が連結された辺に対向する辺）が、横Ｕ字状に対して外側（下方）へ湾曲し、固定部材４１に接続している。
このような形状により、弾性部材４２は、ばね（弾性体）として機能する。このため、固定部材４１が固定された状態でも、カバー部材４３がその弾性力で動かせるようになっている。
また、弾性部材４２をこのような形状とすることで、必要以上にカバー部材４３が押し込めないような構造となっており、弾性部材４２の破壊が防止される。
【００２９】
カバー部材４３は、ボンネットバスの前半分のような形状に形成されており、ボンネット部分に相当する１段目（下段部４３１）と、屋根部に相当する２段目（上段部４３２）との間に傾斜面（ツメ押下部）４３３が形成されている。
上段部４３２は、右側方と左側方がそれぞれ一段高くなっており、中央がそれらに対して低くなっている。このように側方が高くなっているのは、筐体ドア下部３４の裏面に形成されたドア側凸部３８の周囲にリブ３４３が形成されており、可動式ツメカバー４０を筐体ドア下部３４に固定する際にリブ３４３を回避するためである。この上段部４３２の形状は、リブ３４３の立設位置に応じて変更可能である。
【００３０】
底面部材４３６は、方形状の平板で形成されている。
右側面部材４３４と左側面部材４３５は、それぞれ上段部４３２，傾斜面４３３，下段部４３１，前面部材４３７，底面部材４３６に沿った形状に形成されている。
【００３１】
背面部４３８は、開口になっている。これにより、ドア側凸部３８がカバー部材４３の内部に挿入可能となる。また、このドア側凸部３８のツメ通過孔３８１に挿入された下パネル枠３５のツメ部３５２もカバー部材４３の内部に挿入可能となるため、それらドア側凸部３８の第二の開口部３８３の外周縁３８４と、ツメ部３５２の先端部がカバー部材４３により覆われる。
なお、カバー部材４３において、開口は、この背面部４３８のみである。
【００３２】
このような形状により、カバー部材４３は、ドア側凸部３８を保護するととともに、分解作業等において可動式ツメカバー４０を取り外すことなく、下パネル枠３５のツメ部３５２を外すことができる。
なお、可動式ツメカバー４０は、容易に破壊されないだけの強度を有する樹脂材料にて製造される。
【００３３】
（可動式ツメカバーの固定）
次に、可動式ツメカバーの固定について、図５を参照して説明する。
可動式ツメカバー４０の固定は、ネジ５０を用いて行われる。
上述したように、可動式ツメカバー４０の固定部材４１には、孔４１１が穿設されている。一方、筐体ドア下部３４の裏面には、ドア側凸部３８の下方の離間した位置に、筒状の肉厚部３４２が設けてある。この肉厚部３４２には下穴が切られており、ネジ５０が螺入可能になっている。
このような構造において、固定部材４１の孔４１１にネジ５０の足部５１を通し、さらに、このネジ５０を、筐体ドア下部３４の肉厚部３４２に螺着することで、可動式ツメカバー４０を筐体ドア下部３４に固定できる。
【００３４】
また、肉厚部３４２の周囲には、一又は二以上のリブ３４４（３４４−１〜３４４−３）が立設してある。リブ３４４は、可動式ツメカバー４０の固定が安定するように固定部材４１の面に当接して支持するもの（リブ３４４−１、３４４−２）と、可動式ツメカバー４０がネジ５０を中心に回転しないように固定部材４１を側方から支持するもの（リブ３４４−３）とがある。
【００３５】
なお、本実施形態においては、可動式ツメカバーの固定方法としてネジを用いているが、ネジに限るものではなく、例えば、嵌め込み、溶接、接着など、任意好適な方法を用いることができる。
【００３６】
［下パネル枠の取り付け・取り外し］
（下パネル枠の取り付け）
次に、下パネル枠の取り付けについて、図３、図６を参照して説明する。
図６は、下パネル及び下パネル枠が筐体ドア下部に取り付けられた状態を示す側方断面図である。
まず、図３に示すように、下パネル３３及び下パネル枠３５は、筐体ドア下部３４から分解された状態にあるものとする。
下パネル枠３５の枠内に下パネル３３がセットされる（または、筐体ドア下部３４の凹部３６を蓋するように下パネル３３がセットされる）。
【００３７】
次いで、下パネル枠３５を筐体ドア下部３４に取り付けるにあたり、下パネル枠３５の下辺部材３５６の引っ掛け部材３５７が、筐体ドア下部３４の引っ掛け部材通過孔３４１に通されて引っ掛けられる（係止する）。
続いて、下パネル枠３５の上辺部材３５１のツメ部３５２が、筐体ドア下部３４のツメ通過孔３８１の第一開口部３８２に挿入される。挿入されたツメ部３５２は、その先端の係止部３５４がツメ通過孔３８１の第二開口部３８３から露出する。そして、係止部３５４の段差部分がドア側凸部３８の第二開口部３８３側の開口部外周縁３８４に係止する。これにより、下パネル３３及び下パネル枠３５の取り付けが完了する。
【００３８】
図６に示すように、下パネル３３及び下パネル枠３５が筐体ドア下部３４に取り付けられた状態において、可動式ツメカバー４０のカバー部材４３は、少なくとも、ドア側凸部３８の第二開口部３８３の外周縁３８４の全体と、この第二開口部３８３から露出したツメ部３５２の先端部分の全体とを内包する（覆う）。
これにより、ツメ通過孔３８１の内壁とツメ部３５２の板部材３５３の表面との間の隙間から不正工具が通されたとしても、その不正工具はカバー部材４３に必ず突き当たることから、それ以上筐体内に侵入できなくなる。このため、その不正工具を用いた不正行為を防止できる。
【００３９】
（下パネル枠の取り外し）
次に、下パネル枠の取り外しについて、図６〜図９を参照して説明する。
図７は、可動式ツメカバーのカバー部材を押し込んだ状態を示す断面図、図８は、カバー部材の押し込みにより係止が解除されたときの状態を示す断面図、図９は、下パネル枠が取り外された後の可動式ツメカバー及びその周辺の状態を示す断面図である。
【００４０】
図６に示すように、筐体ドア下部３４に下パネル枠３５が取り付けられた状態では、ツメ部３５２がドア側凸部３８の第二開口部３８３の外周縁３８４に係止している。この状態において、ツメ部３５２の傾斜面３５５は、カバー部材４３の傾斜面４３３の裏面に接近又は接触した状態にある。また、ドア側凸部３８の外周上面３８５は、カバー部材４３の上段部４３２の裏面から離間した位置にあり、ツメ通過孔３８１の外周下面３８６は、カバー部材４３の底面部材４３６の上面に接近又は接触している。
【００４１】
下パネル枠３５を取り外すときは、図７に示すように、可動式ツメカバー４０のカバー部材４３の下段部４３１又は傾斜面４３３の一方又は双方を上から下に向かって押し込む。
これにより、傾斜面４３３の裏面がツメ部３５２の傾斜面３５５に当接して押し下げる。さらに押し下げると、図８に示すように、ツメ部３５２の係止部３５４が、ツメ通過孔３８１の第二開口部３８３の外周縁３８４から外れて係止が解除される。この係止が解除されることで、下パネル枠３５は取り外し可能な状態となる。
【００４２】
下パネル枠３５や下パネル３３が取り外され、カバー部材４３の押し込みを止めると、図９に示すように、弾性部材４２の弾性力により、カバー部材４３が元の位置に復帰する。
この図から判るように、この状態でも、仮に不正工具がツメ通過孔３８１に挿入されたとしても、ツメ通過孔３８１の第二開口部３８３がカバー部材４３により覆われているため、ここから先への不正工具の侵入が阻止される。
さらに、ドア側凸部３８とカバー部材４３との間の隙間は、カバー部材４３が動作するための最小限の隙間しかなく、この隙間を通って外部から筐体内部へ侵入する経路も複雑となっている。このため、不正工具の侵入は、非常に困難となっている。
しかも、同図の状態での不正工具の侵入を阻止できることから、ツメ通過孔３８１にツメ部３５２が挿入された状態でも、同様に、カバー部材４３により不正工具の侵入を阻止できる。
【００４３】
以上説明したように、本実施形態の遊技機及び可動式ツメカバーによれば、ツメ通過孔の第二開口部を覆うように可動式ツメカバーが設けられるため、そのツメ通過孔に不正工具を侵入させたとしても、可動式ツメカバーより先への侵入が阻止されることから、不正行為を防止できる。
また、カバー部材の動作のために必要な隙間は最小限となっていて、不正工具の通過が困難な上、通過できたとしても侵入経路が複雑となり、内部での不正操作は非常に困難となっている。
【００４４】
さらに、カバー部材の内部にはドア側凸部が入り込んでおり、カバー部材とドア側凸部との間は最小限の隙間しか空いていないため、不正工具で押されてカバー部材が傾いたとしても、カバー部材の内部のどこかが必ずドア側凸部に当たってそれ以上傾倒できなくなり、カバー部材がドア側凸部から外れるという事態を回避できるようになっている。
加えて、可動式ツメカバーは、筐体ドアに固定されるとともに、下パネル枠を取り外す際にはその固定されたままの状態で、ツメ部の係止を解除できることから、下パネル枠や下パネルの分解・組立時に部品数が増えることがない。
【００４５】
しかも、下パネルの交換時に可動式ツメカバーの取り外しや取り付けは行われないことから、作業工数の増加を抑えることができる。
そして、可動式ツメカバーが筐体ドアに固定されることで、下パネルの交換時に紛失する心配がない。このため、予備品の用意が不要となり、保守管理が軽減される。
【００４６】
以上、本発明の遊技機及び可動式ツメカバーの好ましい実施形態について説明したが、本発明に係る遊技機及び可動式ツメカバーは上述した実施形態にのみ限定されるものではなく、本発明の範囲で種々の変更実施が可能であることは言うまでもない。
例えば、本発明の可動式ツメカバーが備えられる遊技機は、上述した実施形態で示したスロットマシンに限らず、パチンコ機でもよく、どのような遊技機であっても適用が可能である。この種の遊技機としては、スロットマシン（パチロット、パロットを含む）やパチンコ機の他、例えば、アレンジボール機、雀球機等、各種の遊技機があり、いずれも本発明の適用対象とすることができる。
また、上記の実施形態においては、可動式ツメカバーの弾性部材を板バネで形成したが、板バネに限るものではなく、例えば、ブロック型のゴムや螺旋状のコイルバネなどを用いることもできる。
【産業上の利用可能性】
【００４７】
本発明は、遊技機内部に不正工具を侵入させる可動式ツメカバーとして広く利用できる。
【図面の簡単な説明】
【００４８】
【図１】スロットマシンの概観を示す図であって、（ｉ）は、正面図、（ii）は、側面図である。
【図２】筐体ドアの裏面構成を示す詳細図である。
【図３】筐体ドア下部、下パネル、下パネル枠の構造を示す斜視図である。
【図４】可動式ツメカバーの構造を示す斜視図である。
【図５】下パネル枠のツメ部周辺、筐体ドア下部の凸部周辺、及び、可動式ツメカバーの固定位置を示す斜視図である。
【図６】下パネル及び下パネル枠が筐体ドア下部に取り付けられた状態を示す断面図である。
【図７】可動式ツメカバーのカバー部材を押し込んだ状態を示す断面図である。
【図８】カバー部材の押し込みにより係止が解除されたときの状態を示す断面図である。
【図９】下パネル枠が取り外された後の可動式ツメカバー及びその周辺の状態を示す断面図である。
【符号の説明】
【００４９】
１  遊技機（スロットマシン）
３  筐体ドア
３２  下パネル部
３３  下パネル
３４  筐体ドア下部
３５  下パネル枠
３５２  ツメ部
３５４  係止部
３５５  傾斜面
３８  ドア側凸部
３８１  ツメ通過孔
３８２  第一開口部
３８３  第二開口部
３８４  外周縁
４０  可動式ツメカバー
４１  固定部材
４２  弾性部材
４３  カバー部材
４３１  下段部
４３２  上段部
４３３  傾斜面
４３８  背面部
【図１】
0005093723.tif 000002
【図２】
0005093723.tif 000003
【図３】
0005093723.tif 000004
【図４】
0005093723.tif 000005
【図５】
0005093723.tif 000006
【図６】
0005093723.tif 000007
【図７】
0005093723.tif 000008
【図８】
0005093723.tif 000009
【図９】
0005093723.tif 000010